(57)【要約】【課題】  巻印針の回転中心を時計のムーブメント内で任意適当な位置に配置できるように構成したぜんまい巻き状態表示装置付き時計を提供する。【解決手段】  ムーブメント１００は、香箱車１２０と、香箱歯車１２０ｄと連動され、香箱歯車１２０ｄの回転を減速させるための減速機構、すなわち遊星ユニット１５０とを備える。セグメント歯車１８４が遊星ユニット１５０の出力に基づいて回転可能なように設けられる。巻印表示車１９０はセグメント歯車１８４の作動に基づいて回転する。ぜんまい巻き状態表示部材１９６が、巻印表示車１９０の回転に基づいて、ぜんまい１２０の巻き状態を表示する。【選択図】      図１
2005214655.tif 000002
【特許請求の範囲】
【請求項１】
機械式時計の動力源を構成するぜんまいの巻き状態を表示する機能を備えたぜんまい巻き状態表示装置付き時計において、
ぜんまい（１２０ｂ）、香箱真（１２０ｃ）、香箱歯車（１２０ｄ）を有し、該香箱歯車（１２０ｄ）が前記ぜんまい（１２０ｂ）の巻き戻しにより１つの方向にのみ回転可能なように構成されている香箱車（１２０）と、
前記香箱歯車（１２０ｄ）と連動され、前記香箱歯車（１２０ｄ）の回転を減速させるための減速機構（１５０）と、
前記減速機構（１５０）の出力に基づいて回転可能なセグメント歯車（１８４）と、
前記セグメント歯車（１８４）の作動に基づいて回転可能な巻印表示車（１９０）と、
前記巻印表示車（１９０）の回転に基づいて、ぜんまい（１２０ｂ）の巻き状態を表示するためのぜんまい巻き状態表示部材（１９６）と、
を備えることを特徴とする、ぜんまい巻き状態表示装置付き時計。
【請求項２】
減速機構（１５０）は遊星ユニットで構成され、該遊星ユニットは、前記香箱真（１２０ｃ）に固定された第１太陽車（１５０）と、香箱歯車（１２０ｄ）の底面に回転可能なように取付けられた遊星車（１５２、１５４）と、前記香箱真（１２０ｃ）に回転可能に取付けられた第２太陽車（１５６）とを含み、前記香箱歯車（１２０ｄ）が回転すると、前記遊星車（１５２、１５４）は前記第１太陽車（１５０）のまわりを公転しながら自転することができるように構成されることを特徴とする、請求項１に記載のぜんまい巻き状態表示装置付き時計。
【請求項３】
前記セグメント歯車（１８４）は、前記減速機構（１５０）の出力を受け入れるための第１セグメント歯車（１８４ｃ）と、前記巻印表示車（１９０）を回転させるための第２セグメント歯車（１８４ｇ）とを含むことを特徴とする、請求項１に記載のぜんまい巻き状態表示装置付き時計。
【請求項４】
ぜんまい巻き状態表示装置付き時計は、地板（１０２）と、巻真（１１８）と、筒車（２３２）とを備え、
地板（１０２）に、筒車（２３２）の回転中心（２００）を通り、巻真（１１８）の中心軸線とほぼ平行な地板基準垂直軸線（２０５）と、筒車（２３２）の回転中心（２００）を通り地板基準垂直軸線（２０５）と垂直な地板基準水平軸線（２０６）を定義し、
地板（１０２）に、地板基準垂直軸線（２０５）の一方の側に位置しかつ地板基準水平軸線（２０６）より巻真（１１８）に近い方の側に位置する第１領域（２０１）と、地板基準垂直軸線（２０５）の他方の側に位置しかつ地板基準水平軸線（２０６）より巻真（１１８）に近い方の側に位置する第２領域（２０２）と、地板基準垂直軸線（２０５）の上記第２領域（２０２）のある上記他方の側に位置しかつ地板基準水平軸線（２０６）より巻真（１１８）から遠い方の側に位置する第３領域（２０３）と、地板基準垂直軸線（２０５）の上記第１領域（２０１）のある上記一方の側に位置しかつ地板基準水平軸線（２０６）より巻真（１１８）から遠い方の側に位置する第４領域（２０４）とを定義したとき、
前記香箱車（１２０）の回転中心は第２領域（２０２）に配置され、
前記減速機構（１５０）の回転中心は前記香箱車（１２０）の回転中心と同じ位置に配置され、
前記巻印表示車（１９０）の回転中心は、地板基準垂直軸線（２０５）の上で、文字板（１１０）の３時方向の領域に配置される、
ことを特徴とする、請求項１に記載のぜんまい巻き状態表示装置付き時計。
【請求項５】
機械式時計の動力源を構成するぜんまいの巻き状態を表示する機能を備えたぜんまい巻き状態表示装置付き時計において、
ぜんまい（１２０ｂ）および香箱歯車（１２０ｄ）を有し、該香箱歯車（１２０ｄ）が前記ぜんまい（１２０ｂ）の巻き戻しにより１つの方向にのみ回転可能なように構成されている香箱車（１２０）と、
前記香箱歯車（１２０ｄ）と連動され、前記香箱歯車（１２０ｄ）の回転を減速させるための減速機構（１５０）と、
前記減速機構（１５０）の出力に基づいて回転可能なセグメント歯車（３４４）と、
前記セグメント歯車（３４４）の作動に基づいて回転可能な巻印表示車（１９０）と、
前記巻印表示車（１９０）の回転に基づいて、ぜんまい（１２０ｂ）の巻き状態を表示するためのぜんまい巻き状態表示部材（１９６）と、
前記巻印表示車（１９０）を回転可能なように支持する、複数の巻印表示車支持部とを備え、
前記巻印表示車（１９０）は、前記複数の巻印表示車支持部のうちの１箇所に支持されており、
前記セグメント歯車（３４４）は、前記減速機構（１５０）の作動を、前記複数の巻印表示車支持部のうちの１箇所に支持された前記巻印表示車（１９０）に伝達させるように構成される、
ことを特徴とする、ぜんまい巻き状態表示装置付き時計。
【請求項６】
前記セグメント歯車（３４４）は、前記減速機構（１５０）の出力を受け入れるための第１セグメント歯車（３４４ｂ）を備え、前記第１セグメント歯車（３４４ｂ）は、前記巻印表示車（１９０）を回転させるように構成されることを特徴とする、請求項５に記載のぜんまい巻き状態表示装置付き時計。
【請求項７】
前記セグメント歯車（３４４）は、前記減速機構（１５０）の出力を受け入れるための第１セグメント歯車（３４４ｂ）と、他のセグメント歯車（３４４ｄ、３４４ｆ）とを備え、前記他のセグメント歯車（３４４ｄ、３４４ｆ）は、前記巻印表示車（１９０）を回転させるように構成されることを特徴とする、請求項５に記載のぜんまい巻き状態表示装置付き時計。
【請求項８】
機械式時計の動力源を構成するぜんまいの巻き状態を表示する機能を備えたぜんまい巻き状態表示装置付き時計において、
ぜんまい（１２０ｂ）、香箱真（１２０ｃ）、香箱歯車（１２０ｄ）を有し、該香箱歯車（１２０ｄ）が前記ぜんまい（１２０ｂ）の巻き戻しにより１つの方向にのみ回転可能なように構成されている香箱車（１２０）と、
前記香箱歯車（１２０ｄ）と連動され、前記香箱歯車（１２０ｄ）の回転を減速させるための減速機構（１５０）と、
前記減速機構（１５０）の作動に基づいて回転する巻印表示車（４２２）と、
前記巻印表示車（４２２）の回転に基づいて、ぜんまい（１２０ｂ）の巻き状態を表示するためのぜんまい巻き状態表示部材（１９６）とを備え、
減速機構（１５０）は遊星ユニットで構成され、該遊星ユニットは、前記香箱真（１２０ｃ）に固定された第１太陽車（１５０）と、香箱歯車（１２０ｄ）の底面に回転可能なように取付けられた遊星車（１５２、１５４）と、前記香箱真（１２０ｃ）に回転可能に取付けられた第２太陽車（１５６）とを含み、前記香箱歯車（１２０ｄ）が回転すると、前記遊星車（１５２、１５４）は前記第１太陽車（１５０）のまわりを公転しながら自転することができるように構成され、
前記第２太陽車（１５６）の回転に基づいて前記巻印表示車（４２２）を回転させるように構成される、
ことを特徴とする、ぜんまい巻き状態表示装置付き時計。
【発明の詳細な説明】
【技術分野】
【０００１】
本発明は、機械式時計の動力源を構成するぜんまいの巻き状態を表示する機能を備えたぜんまい巻き状態表示装置付き時計に関する。特に、本発明は、時計のムーブメント内で任意適当な位置にぜんまい巻き状態表示部材（パワーリザーブ指針）を配置できるように構成したぜんまい巻き状態表示装置付き時計に関する。
【背景技術】
【０００２】
（１）従来の第１タイプのぜんまい巻き状態表示装置付き時計
従来の第１タイプのぜんまい巻き状態表示装置付き時計は、ぜんまいが作動することができる残りの時間、すなわち、時計の持続時間の表示を行う機構（パワーリザーブ機構）を備えている。このようなパワーリザーブ機構は、時計の持続時間の表示を行う針を扇状に往復させるために遊星歯車機構を用いている。この従来の第１タイプのぜんまい巻き状態表示装置付き時計は、角穴車と、香箱車と噛み合う遊星中間歯車と、遊星中間歯車の偏心部に回転可能に取付けられた遊星車と、遊星かなと噛み合う太陽車と、遊星歯車と噛み合う第二太陽車から構成される遊星歯車機構と、太陽かなと噛み合う表示伝え車と、表示伝えかなと噛み合う表示車と、表示度決めピンと、角穴車と第二太陽歯車と噛み合う遊星伝え車とで構成されている（例えば、特許文献１参照）。
【０００３】
（２）従来の第２タイプのぜんまい巻き状態表示装置付き時計
従来の第２タイプのぜんまい巻き状態表示装置付き時計は、香箱歯車の回転により回転可能なように設けられた遊星中間歯車と、遊星中間歯車の回転中心と異なる箇所を回転中心として、遊星中間歯車に回転可能に設けられ、一体となって回転可能な第１遊星車及び第２遊星車を有する遊星車と、遊星中間歯車の回転中心を回転中心として回転可能に設けられ、第２遊星車と噛み合っている第１太陽歯車を有する第１太陽車と、第１太陽車の回転中心を回転中心として回転可能に設けられ、角穴伝え車と噛み合っている第２太陽歯車と、第１遊星車と噛み合っている第２太陽かなとを有する第２太陽車と、第１太陽車に取付けられ、１つ以上の送りつめを有するつめ車と、送りつめにより、間欠的に回転可能に設けられた巻印中間車と、巻印中間車の回転方向の位置を規正するための巻印ジャンパと、巻印中間車の回転に基づいてぜんまい巻き状態を表示するためのぜんまい巻き状態表示部材（パワーリザーブ指針）とを備えている（例えば、特許文献２参照）。
【０００４】
【特許文献１】特開平９−２１８８６号公報（第３〜４頁、図１参照）
【特許文献２】特開平１１−１８３６４２号公報（第４〜５頁、図１〜図４参照）
【発明の開示】
【発明が解決しようとする課題】
【０００５】
従来のぜんまい巻き状態表示装置付き時計では、ぜんまい巻き状態表示部材（すなわち、巻印針：パワーリザーブ指針）の回転中心が香箱歯車の回転中心の近傍に配置されていた。したがって、ぜんまい巻き状態表示装置付き時計において、複数の指針（時針、分針、秒針、巻印針など）の配置に関して、デザイン上の制約があった。また、従来のぜんまい巻き状態表示装置付き時計において、ぜんまい巻き状態表示部材の回転中心を香箱歯車の回転中心から離れた位置に配置する場合、香箱歯車から歯車列を介してぜんまい巻き状態表示部材に回転を伝達しなければならなかった。このような構造では、複数の歯車間の噛合いのバックラッシュが存在し、巻印針（パワーリザーブ指針）の作動が遅れるという課題が生じていた。
【０００６】
本発明の目的は、ぜんまい巻き状態表示装置付き時計において、香箱歯車の回転中心の位置にかかわらず、巻印針（パワーリザーブ指針）の回転中心を時計のムーブメント内で任意適当な位置に配置できるように構成することにある。
本発明の他の目的は、ぜんまい巻き状態表示装置付き時計において、巻印針（パワーリザーブ指針）に回転を伝達する歯車間の噛合いのバックラッシュの影響を減らして、巻印針（パワーリザーブ指針）の作動が遅れるのを防止することにある。
本発明の更に他の目的は、デザイン上の制約が非常に小さい、小型で薄型のぜんまい巻き状態表示装置付き時計を提供することにある。
【課題を解決するための手段】
【０００７】
本発明は、機械式時計の動力源を構成するぜんまいの巻き状態を表示する機能を備えたぜんまい巻き状態表示装置付き時計において、ぜんまいおよび香箱歯車を有し、香箱歯車がぜんまいの巻き戻しにより１つの方向にのみ回転可能なように構成されている香箱車と、香箱歯車と連動され、香箱歯車の回転を減速させるための減速機構と、減速機構の出力に基づいて回転可能なセグメント歯車と、セグメント歯車の作動に基づいて回転可能な巻印表示車と、巻印表示車の回転に基づいて、ぜんまいの巻き状態を表示するためのぜんまい巻き状態表示部材とを備えるように構成した。この構成により、ぜんまい巻き状態表示部材の回転中心（すなわち、巻印針の回転中心）が、香箱歯車の回転中心の位置と関連することなしに、時計のムーブメント内で任意適当な位置に配置することができるできる。また、この構成により、巻印針に回転を伝達する歯車間の噛合いのバックラッシュの影響を削減することができ、巻印針の作動が遅れるのを防止することができる。
【０００８】
本発明のぜんまい巻き状態表示装置付き時計では、減速機構は遊星ユニットで構成され、この遊星ユニットは、香箱真に固定された第１太陽車と、香箱歯車の底面に回転可能なように取付けられた遊星車と、香箱真に回転可能に取付けられた第２太陽車とを含み、香箱歯車が回転すると、遊星車は第１太陽車のまわりを公転しながら自転することができるように構成されるのが好ましい。
また、本発明のぜんまい巻き状態表示装置付き時計では、セグメント歯車は、減速機構の出力を受け入れるための第１セグメント歯車と、巻印表示車を回転させるための第２セグメント歯車とを含むのが好ましい。
【０００９】
さらに、本発明のぜんまい巻き状態表示装置付き時計は、地板と、巻真と、筒車とを備える。そして、地板に、筒車の回転中心を通り、巻真の中心軸線とほぼ平行な地板基準垂直軸線と、筒車の回転中心を通り地板基準垂直軸線と垂直な地板基準水平軸線を定義し、地板に、地板基準垂直軸線の一方の側に位置しかつ地板基準水平軸線より巻真に近い方の側に位置する第１領域と、地板基準垂直軸線の他方の側に位置しかつ地板基準水平軸線より巻真に近い方の側に位置する第２領域と、地板基準垂直軸線の上記第２領域のある上記他方の側に位置しかつ地板基準水平軸線より巻真から遠い方の側に位置する第３領域と、地板基準垂直軸線の上記第１領域のある上記一方の側に位置しかつ地板基準水平軸線より巻真から遠い方の側に位置する第４領域とを定義する。このとき、香箱車の回転中心は第２領域に配置され、減速機構の回転中心は香箱車の回転中心と同じ位置に配置され、巻印表示車の回転中心は、地板基準垂直軸線の上で、文字板の３時方向の領域に配置されるのが好ましい。
【００１０】
また、本発明のぜんまい巻き状態表示装置付き時計は、香箱車と、香箱歯車と連動され、香箱歯車の回転を減速させるための減速機構と、減速機構の出力に基づいて回転可能なセグメント歯車と、セグメント歯車の作動に基づいて回転可能な巻印表示車と、巻印表示車の回転に基づいて、ぜんまいの巻き状態を表示するためのぜんまい巻き状態表示部材と、巻印表示車を回転可能なように支持する、複数の巻印表示車支持部とを備え、巻印表示車は、複数の巻印表示車支持部のうちの１箇所に支持され、セグメント歯車は、減速機構の作動を、前記複数の巻印表示車支持部のうちの１箇所に支持された巻印表示車に伝達させるように構成されている。この構成により、ぜんまい巻き状態表示装置付き時計において、香箱歯車の回転中心の位置にかかわらず、巻印針の回転中心を時計のムーブメント内で任意適当な位置に配置できる。そして、複数の巻印表示車支持部がムーブメントに設けられているので、巻印針の回転中心の位置を変えるために複数のムーブメントを用意する必要がない。また、この構成により、小型で薄型のぜんまい巻き状態表示装置付き時計を実現することができる。
【００１１】
さらに、本発明のぜんまい巻き状態表示装置付き時計では、セグメント歯車は、減速機構の出力を受け入れるための第１セグメント歯車を備え、第１セグメント歯車は、巻印表示車を回転させるように構成されるのがよい。また、本発明のぜんまい巻き状態表示装置付き時計では、セグメント歯車は、減速機構の出力を受け入れるための第１セグメント歯車と、他のセグメント歯車とを備え、前記他のセグメント歯車は、巻印表示車を回転させるように構成するのがよい。この構成により、ぜんまい巻き状態表示装置付き時計において、巻印針に回転を伝達する歯車間の噛合いのバックラッシュの影響を削減することができ、巻印針の作動が遅れるのを防止することができる。
【００１２】
さらに、本発明は、ぜんまい巻き状態表示装置付き時計において、香箱車と、香箱歯車と連動され、香箱歯車の回転を減速させるための減速機構と、減速機構の作動に基づいて回転する巻印表示車と、巻印表示車の回転に基づいて、ぜんまいの巻き状態を表示するためのぜんまい巻き状態表示部材とを備えるように構成される。このぜんまい巻き状態表示装置付き時計では、減速機構は遊星ユニットで構成され、この遊星ユニットは、香箱真に固定された第１太陽車と、香箱歯車の底面に回転可能なように取付けられた遊星車と、香箱真に回転可能に取付けられた第２太陽車とを含み、香箱歯車が回転すると、遊星車は第１太陽車のまわりを公転しながら自転することができるように構成され、第２太陽車の回転に基づいて巻印表示車を回転させるように構成されることを特徴とする。この構成により、ぜんまい巻き状態表示装置付き時計において、香箱歯車の回転中心の位置にかかわらず、巻印針の回転中心を時計のムーブメント内で任意適当な位置に配置できる。そして、複数の巻印表示車支持部がムーブメントに設けられているので、巻印針の回転中心の位置を変えるために複数のムーブメントを用意する必要がない。
【発明の効果】
【００１３】
本発明のぜんまい巻き状態表示装置付き時計では、ぜんまい巻き状態表示部材の回転中心（すなわち、巻印針の回転中心）が、香箱歯車の回転中心の位置と関連することなしに、時計のムーブメント内で任意適当な位置に配置することができる。また、本発明のぜんまい巻き状態表示装置付き時計では、巻印針に回転を伝達する歯車間の噛合いのバックラッシュの影響を削減することができ、巻印針の作動が遅れるのを防止することができる。さらに、本発明のぜんまい巻き状態表示装置付き時計は、小型で薄型であり、加えて、デザイン上の制約が非常に小さい。
【発明を実施するための最良の形態】
【００１４】
以下に、本発明のぜんまい巻き状態表示装置付き時計の実施の形態を図面に基づいて説明する。
（１）第１の実施の形態
（１・１）ムーブメントの全体構成
最初に、本発明のぜんまい巻き状態表示装置付き時計の第１の実施の形態について説明する。図１〜図４を参照すると、本発明のぜんまい巻き状態表示装置付き時計はムーブメント１００を備える。「ムーブメント」とは、駆動部分を含む時計の機械体を示す。また、「コンプリート」とは、時計のムーブメントに文字板、指針（時針、分針、秒針など）、りゅうずなどを取り付けて時計ケース（時計外装）に収容した時計の完成体を示す。ムーブメント１００は、地板１０２、第二地板１１２、日車押え１１６を含む。ムーブメント１００において、「表側」とは、地板１０２の両面のうちで、時計ケースのガラスから遠い方の側、すなわち、「裏蓋側」を示す。ムーブメント１００において、「裏側」とは、地板１０２の両面のうちで、時計ケースのガラスに近い方の側、すなわち、「文字板側」を示す。ムーブメント１００は、さらに、一番受１０４と、二番受１０５と、アンクル受１０６と、てんぷ受１０７とを備える。第二地板１１２、日車押え１１６は地板１０２の裏側に配置される。文字板１１０が第二地板１１２のガラス側に配置される。文字板１１０は文字板受リング１０９を介して地板１０２に取付けられる。巻真１１８が地板１０２に回転可能で、軸線方向に移動可能なように組み込まれる。
【００１５】
ムーブメント１００の表側には、表輪列と、脱進機構と、調速機構と、自動巻機構と、手巻機構と、切換装置と、ぜんまい巻き状態表示機構を作動させる遊星機構とが配置される。或いは、手巻機構を削除してもよい。或いは、切換装置はムーブメント１００の裏側に配置してもよい。或いは、ムーブメント１００の表側に手巻機構を配置し、自動巻機構を省略してもよい。ムーブメント１００の裏側には、裏輪列と、日表示機構と、日修正機構と、遊星機構により作動するぜんまい巻き状態表示機構とが配置される。表輪列は地板１０２、一番受１０４、二番受１０５に対して回転可能に支持される。裏輪列は地板１０２、第二地板１１２、日車押え１１６に対して回転可能に支持される。或いは、日表示機構および日修正機構を省略してもよい。必要ならば、曜表示機構および曜修正機構をムーブメント１００の裏側に設けてもよい。
【００１６】
図１及び図２において、地板１０２に、筒車２３２の回転中心２００を通り、巻真１１８の中心軸線とほぼ平行な地板基準垂直軸線２０５と、筒車２３２の回転中心２００を通り地板基準垂直軸線２０５と垂直な地板基準水平軸線２０６を定義する。地板１０２には、地板基準垂直軸線２０５の一方の側に位置しかつ地板基準水平軸線２０６より巻真１１８に近い方の側に位置する第１領域２０１と、地板基準垂直軸線２０５の他方の側に位置しかつ地板基準水平軸線２０６より巻真１１８に近い方の側に位置する第２領域２０２と、地板基準垂直軸線２０５の上記第２領域２０２のある上記他方の側に位置しかつ地板基準水平軸線２０６より巻真１１８から遠い方の側に位置する第３領域２０３と、地板基準垂直軸線２０５の上記第１領域２０１のある上記一方の側に位置しかつ地板基準水平軸線２０６より巻真１１８から遠い方の側に位置する第４領域２０４とが設けられている。図１において、第１領域２０１及び第４領域２０４は地板基準垂直軸線２０５より右側にあるが、これらの第１領域２０１及び第４領域２０４は地板基準垂直軸線２０５より左側にあるように定義してもよい。この場合には、第２領域２０２及び第３領域２０３は、地板基準垂直軸線２０５より右側にあるように定義する。なお、本発明のぜんまい巻き状態表示装置付き時計の実施の形態では、ムーブメントにおける部品の配置は、図示した配置であってもよいし、或いは、地板基準垂直軸線２０５を対称軸として図示した配置と線対称（ミラー・イメージ）の配置であってもよい。
【００１７】
（１・２）表輪列の構成
次に、表輪列の構成について説明する。図２〜図４を参照すると、香箱車１２０が一番受１０４及び地板１０２に対して回転可能に支持される。香箱車１２０は、ぜんまい１２０ｂと、香箱真１２０ｃと、香箱歯車１２０ｄと、香箱ふた１２０ｆとを有する。ぜんまい１２０ｂは機械式時計の動力源を構成する。ぜんまい１２０ｂが巻き戻される（解放される）ことにより、香箱歯車１２０ｄは１つの方向に回転し、表輪列及び裏輪列の回転を介して、指針（時針、分針、秒針など）により時刻情報を表示する。ぜんまい１２０ｂの動力により回転する香箱歯車１２０ｄの回転は、調速装置及び脱進装置によって制御される。調速装置はてんぷ１４２を含む。脱進装置はアンクル１４４及びがんぎ車１４６を含む。てんぷ１４２はてんぷ受１０７及び地板１０２に対して回転可能に支持される。アンクル１４４はアンクル受１０６及び地板１０２に対して回転可能に支持される。がんぎ車１４６は一番受１０４及び地板１０２に対して回転可能に支持される。香箱歯車１２０ｄの回転により、二番車１２２が１時間に１回転するように構成される。二番車１２２は二番受１０５及び地板１０２に対して回転可能に支持される。二番車１２２の回転により、三番車１２４が回転するように構成される。
【００１８】
三番車１２４は一番受１０４及び地板１０２に対して回転可能に支持される。三番車１２４の回転により、四番車１２６が１分間に１回転するように構成される。四番車１２６は一番受１０４及び地板１０２に対して回転可能に支持される。四番車１２６の回転速度は、がんぎ車１４６により制御されるように構成される。がんぎ車１４６の回転速度は、アンクル１４４により制御されるように構成される。アンクル１４４の揺動運動は、てんぷ１４２により制御されるように構成される。表輪列は、二番車１２２、三番車１２４、四番車１２６を含む。二番車１２２に取付けられた分針２４６が「分」を表示するように構成される。四番車１２６に取付けられた秒針２４８が「秒」を表示するように構成される。四番車１２６の回転中心と二番車１２２の回転中心とは同じ位置にあるように構成される。角穴車１３０の角穴部が、香箱車１２０の香箱真１２０ｃの上方部（一番受１０４がある方の側）に設けられた角軸部１２０ｈに組み込まれる。角穴止めねじ１３２により、角穴車１３０は香箱真１２０ｃと一体になって回転するように支持される。角穴車１３０は香箱車１２０の回転する方向と同一の方向にのみ回転することができる。角穴車の回転規正部材を構成するこはぜ１３１が、角穴車１３０の回転を１つの方向のみに規正するために一番受１０４に設けられる。こはぜ１３１により、角穴車１３０が香箱車１２０の回転する方向と反対の方向に回転するのを阻止することができる。手巻機構を設ける構成では、手巻機構は、つづみ車２７２と、きち車１３３と、丸穴車１３４と、丸穴伝え車１３５とを含む。つづみ車２７２の１つの方向の回転により、きち車１３３が回転するように構成される。きち車１３３の回転により、丸穴車１３４の回転を介して丸穴伝え車１３５が回転するように構成される。丸穴伝え車１３５の回転により、角穴車１３０が時計回り方向に回転するように構成される。角穴車１３０が回転することにより、ぜんまい１２０ｂを巻くことができるように構成される。
【００１９】
（１・３）自動巻機構の構成
次に、自動巻機構の構成について説明する。図２及び図４において、ぜんまい１２０ｂを巻き上げるための自動巻機構がムーブメント１００の表側に設けられる。自動巻機構は、回転錘２１０と、一番伝え車２１２と、つめレバー２１４と、二番伝え車２１６とを含む。回転錘２１０はボールベアリング２１０ｂを介して一番受１０４に回転可能に組み込まれる。一番伝え車２１２は一番受１０４及び地板１０２に対して回転可能に支持される。一番伝え車２１２の歯車部は回転錘２１０の回転錘かな２１０ｃに噛み合うように構成される。つめレバー２１４の基部の穴（図示せず）が、一番伝え車２１２の偏心カム部分（図示せず）に回転可能に組み込まれる。つめレバー２１４は２つのつめ部分、すなわち引きつめ２１４ｆと、押しつめ２１４ｇとを有する。二番伝え車２１６は一番受１０４に対して回転可能に支持される。つめレバー２１４の引きつめ２１４ｆと、押しつめ２１４ｇは、二番伝え車２１６のラチェット歯（図示せず）に噛合うように構成される。回転錘２１０が回転すると、一番伝え車２１２が回転して、つめレバー２１４を作動させるように構成される。つめレバー２１４の引きつめ２１４ｆは、二番伝え車２１６を１つの方向（図２において反時計回り方向）にのみ回転させることができるように構成される。つめレバー２１４の押しつめ２１４ｇは、二番伝え車２１６を１つの方向（図２において反時計回り方向）にのみ回転させることができるように構成される。したがって、回転錘２１０が回転すると、つめレバー２１４が作動し、二番巻伝え車２１６の回転に基づいて、角穴車１３０が時計回り方向に回転するように構成される。その結果、回転錘２１０が回転すると、自動巻機構の作動により、ぜんまい１２０ｂを巻きあげることができる。
【００２０】
（１・４）裏輪列の構成
次に、裏輪列の構成について説明する。図４を参照すると、裏輪列は、日の裏車２３０と、筒車２３２とを含む。二番車１２２の回転により、日の裏車２３０が回転するように構成される。日の裏車２３０の回転により、筒車２３２が１２時間で１回転するように構成される。筒車２３２に取付けられた時針２４４が「時」を表示する。筒車２３２の回転中心と二番車１２２の回転中心とは同じ位置にあるように構成される。日の裏車２３０の回転中心は地板基準垂直軸線２０５の上に配置されるのが好ましい。
【００２１】
（１・５）切換機構の構成
次に、切換機構の構成について説明する。本発明の時計では、時計の時刻を合わせるために、切換機構と、時刻合わせ機構とが設けられている。図３を参照すると、切換機構は、おしどり２３６、かんぬき２３７、かんぬき押え２３８を含むように構成される。時刻合わせ機構は、巻真１１８と、つづみ車２７２とを含む。つづみ車２７２の角穴部は巻真１１８の角軸部に組み込まれる。巻真１１８の中心軸線にそう方向における巻真１１８の位置は、切換装置（おしどり、かんぬき押えなど）により定められる。巻真１１８の中心軸線にそう方向におけるつづみ車２７２の位置は、切換装置（おしどり、かんぬき、かんぬき押えなど）により定められる。つづみ車２７２は、ムーブメント１００の中心部に近い方に位置する甲歯２７２ａと、ムーブメント１００の外形部に近い方に位置する乙歯２７２ｂとを備える。つづみ車２７２の乙歯２７２ｂはラチェット歯車で構成される。きち車１３３は、つづみ車２７２の乙歯２７２ｂと噛合うことが出来るように構成されたきち小歯車１３３ｂと、丸穴車１３４の歯車部と噛合うことが出来るように構成されたきち大歯車１３３ｃとを備える。きち小歯車１３３ｂはラチェット歯車で構成される。
【００２２】
巻真１１８を０段目にした状態、および、巻真１１８を１段目にした状態では、つづみ車２７２の甲歯２７２ａは日の裏車２３０の歯車部と噛合わないように構成される。巻真１１８を０段目にした状態、および、巻真１１８を１段目にした状態では、つづみ車２７２の乙歯２７２ｂはきち車１３３の小歯車１３３ｂと噛合うように構成される。巻真１１８を２段目にした状態では、つづみ車２７２の甲歯２７２ａは日の裏車２３０の歯車部と噛合うように構成される。巻真１１８を２段目にした状態では、つづみ車２７２の乙歯２７２ｂはきち車１３３の小歯車１３３ｂと噛合わないように構成される。巻真１１８を０段目にした状態で、巻真１１８を１つの方向に回転させると、巻真１１８とともにつづみ車２７２が回転し、きち車１３３、丸穴車１３４、丸穴伝え車１３５の回転を介して、角穴車１３０が回転して、ぜんまい１２０ｂを巻き上げることができるように構成される。巻真１１８を０段目にした状態で、巻真１１８を他の方向に回転させると、巻真１１８とともにつづみ車２７２が回転するが、きち車１３３は回転しないように構成される。
【００２３】
（１・６）カレンダ機構の構成
次に、カレンダ機構の構成について説明する。カレンダ付き時計では、裏輪列の回転に基づいて日車送り機構が作動するように構成される。日車送り機構は、日回し車２５０と、日回し中間車２５１と、日車２５２とを含む。筒車２３２の回転により、日回し中間車２５１が回転するように構成される。日回し中間車２５１の回転により、日回し車２５０が回転するように構成される。日回し車２５０に設けられた日送りつめ２５０ｂにより、日車２５２を１日に１度、（１／３１）回転させるように構成される。日車２５２は３１日間で１回転するように構成される。日車２５２の回転方向の位置は、日ジャンパ２５３により規正される。日車２５２に設けられた「１」から「３１」の日文字２５２ｃが「日」を表示するように構成される（図５参照）。
【００２４】
（１・７）日修正機構の構成
次に、日修正機構の構成について説明する。本発明の時計には、日車２５２による日の表示を修正するための日修正機構を設けることができる。図１及び図４を参照すると、日修正機構は、つづみ車２７２と、きち車１３３と、第１修正伝え車２５７と、第１修正伝え車２５８と、修正車２５９とにより構成される。巻真１１８を１段目にした状態で、巻真１１８を１つの方向に回転させると、つづみ車２７２が回転し、きち車１３３および第１修正伝え車２５７の回転を介して、修正車２５９が１つの方向に揺動して第１の位置で止まり、その第１の位置で修正車２５９が回転して日車２５２を回転させることができるように構成される。巻真１１８を１段目にした状態で、巻真１１８を他の方向に回転させても、日車２５２を回転させることができないように構成される。
【００２５】
（１・８）ぜんまい巻き状態表示機構の構成
次に、ぜんまい巻き状態表示機構の構成について説明する。ぜんまい巻き状態表示機構は遊星機構を含む。図１及び図４を参照すると、遊星機構は、香箱歯車１２０ｄと連動され、かつ香箱歯車１２０ｄの回転を減速させるための減速機構を構成する。遊星機構は、第１太陽車１５０と、第１遊星車１５２と、第２遊星車１５４と、第２太陽車１５６とを含む。第１太陽車１５０は、香箱車１２０の香箱真１２０ｃの下方中間部（地板１０２がある方の側で、香箱歯車１２０ｄの底面に一番近い方の部分）に設けられた下軸部１２０ｈに固定される。第１遊星車１５２は、香箱歯車１２０ｄの底面に対して回転可能に取付けられる。第２遊星車１５４は、香箱歯車１２０ｄの底面に対して回転可能に取付けられる。第２太陽車１５６は、香箱車１２０の香箱真１２０ｃの下方先端軸部（地板１０２に一番近い方の部分）に回転可能に取付けられる。第１太陽車１５０は第１遊星車１５２と噛み合うように構成される。第１遊星車１５２は第２遊星車１５４と噛み合うように構成される。第２遊星車１５４は第２太陽車１５６と噛み合うように構成される。香箱歯車１２０ｄが回転すると、第１遊星車１５２は、第１太陽車１５０のまわりを公転しながら自転することができるように構成される。香箱歯車１２０ｄが回転すると、第２遊星車１５４は、第１太陽車１５０のまわりを公転しながら自転することができるように構成される。第１太陽車１５０の回転中心は第２領域２０２に配置されるのが好ましい。
【００２６】
第１巻印中間車１８０が地板１０２及び日車押え１１６に対して回転可能に支持される。第１巻印中間車１８０は第１巻印中間歯車１８０ａと、第１巻印中間かな１８０ｂとを有する。第１巻印中間車１８０の回転中心は第３領域２０３に配置されるのが好ましい。第２巻印中間車１８２が第二地板１１２及び日車押え１１６に対して回転可能に支持される。第２巻印中間車１８２は第２巻印中間歯車１８２ａと、第２巻印中間かな１８２ｂとを有する。第２巻印中間車１８２の回転中心は第３領域２０３に配置されるのが好ましい。巻印駆動車１８４が、第二地板１１２に対して回転可能に支持される。巻印駆動車１８４は、第二地板１１２と日車押え１１６との間に配置される。巻印駆動車１８４は、第１セグメント部１８４ｂと、第２セグメント部１８４ｆとを含む。第１セグメント歯車１８４ｃが第１セグメント部１８４ｂに設けられる。第２セグメント歯車１８４ｇが第２セグメント部１８４ｆに設けられる。第１セグメント歯車１８４ｃの外径（ピッチ径）は、第２セグメント歯車１８４ｇの外径（ピッチ径）より大きい寸法となるように構成されるのが好ましい。第１セグメント歯車１８４ｃの開角は、約２５度であるのが好ましい。第２セグメント歯車１８４ｇの開角は、約５０度であるのが好ましい。巻印駆動車１８４は、外径（ピッチ径）が異なる２つのセグメント歯車を備えた「変形セグメント歯車」を構成する。第１セグメント歯車１８４ｃは第２巻印中間歯車１８２ａと噛み合うように構成される。
【００２７】
巻印表示車１９０が、第二地板１１２及び日車押え１１６に対して回転可能に支持される。巻印表示車１９０は、巻印歯車１９０ａを含む。巻印歯車１９０ａは第２セグメント歯車１８４ｇと噛み合うように構成される。巻印表示車１９０の回転中心は地板基準垂直軸線２０５の上で、巻真１１８に近い方の領域（文字板１１０の３時方向）に配置される。巻印駆動車１８４の回転中心は地板基準垂直軸線２０５の上で、巻真１１８に近い方の領域に配置されるのが好ましい。巻印駆動車１８４の回転中心は、巻印表示車１９０の回転中心と、筒車２３２の回転中心との間の領域に配置されるのが好ましい。ぜんまい巻き状態表示部材を構成する巻印針１９６が、巻印表示車１９０の巻印表示車真に取付けられる。ムーブメント１００において、文字板１１０の３時方向の位置を回転中心としてぜんまい巻き状態を表示したい場合、ぜんまい巻き状態表示部材を構成する巻印針１９６が、巻印表示車１９０の巻印表示車真に取付けられる。この構成では、図５を参照すると、ぜんまい巻き状態を表す表示記号１１０ａが文字板１１０に設けられる。例えば、表示記号１１０ａは、「０」、「２０」、「４０」、「６０」の数字を含む。ユーザは、巻印針１９６の先端の位置と、表示記号１１０ａとにより、ぜんまいの巻き状態を知ることができる。この構成により、巻印針１９６の回転中心（すなわち、パワーリザーブ指針の回転中心）は、香箱歯車１２０ｄの回転中心の位置と関連することなしに、時計のムーブメント１００内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。
【００２８】
（１・９）ぜんまいの巻き上げの作用
図１〜図４を参照すると、ぜんまい１２０ｂが完全に巻き戻された状態において、自動巻き輪列の回転により、角穴車１３０が時計周り方向に回転する。この状態では、香箱歯車１２０ｄの回転は二番車１２２により規正されている。この状態では、角穴車１３０の回転により香箱真１２０と、第１太陽車１５０が回転する。第１太陽車１５０の回転により第１遊星車１５２が回転（自転のみ）する。第１遊星車１５２の回転により第２遊星車１５４が回転（自転のみ）する。第２遊星車１５４の回転により第２太陽車１５６が回転する。第２太陽車１５６の回転により第１巻印中間車１８０が回転する。第１巻印中間車１８０の回転により第２巻印中間車１８２が回転する。第２巻印中間車１８２の回転により巻印駆動車１８４が回転する。巻印駆動車１８４の回転により、巻印表示車１９０は時計周り方向に回転する。
【００２９】
従って、ぜんまい１２０ｂを巻き上げるにつれて、巻印針１９６が時計周り方向に回転して、巻印針１９６が表示記号１１０ａのうちの「０」を指示する状態から、巻印針１９６が表示記号１１０ａのうちの「２０」を指示する状態を経て、さらに、巻印針１９６が「４０」を指示する状態を経て、巻印針１９６が表示記号１１０ａのうちの「６０」を指示する状態になる。図５に示す状態は、巻印針１９６がぜんまいの「２／３巻き」状態を少し過ぎた状態を指示している。手巻き時計の場合には、ぜんまいの「フル巻き」状態以上にぜんまいを巻き上げることはできない。一方、自動巻き時計の場合には、ぜんまいの「フル巻き」状態以上にぜんまいを巻き上げようとすると、香箱車１２０内に設けられたスリッピングアタッチメント（図示せず）の部分でスリップする。スリッピングアタッチメントがスリップする状態において、巻印表示車１９０が巻印表示車度決めピン（図示せず）に当たることにより、巻印針１９６が更に反時計周り方向に回転するのを阻止することができる。
【００３０】
（１・１０）通常運針のとき（ぜんまいの巻き戻しのとき）の作用
図１〜図４を参照すると、ぜんまいが巻き上げられた状態において、香箱歯車１２０ｄが回転して時刻を表示する。この状態では、香箱歯車１２０ｄは、時計周り方向に回転する。この状態では、角穴車１３０の歯に係合するこはぜ１３１の作用により、角穴車１３０の回転は規正される。したがって、第１太陽車１５０は遊星歯車機構の中の「固定歯車」を構成する。香箱歯車１２０ｄの回転により、第１遊星車１５２および第２遊星車１５４は、回転中心が変動する「遊星運動」を行う。第１遊星車１５２および第２遊星車１５４の遊星運動により、第２太陽車１５６が回転する。第２太陽車１５６の回転により第１巻印中間車１８０が回転する。第１巻印中間車１８０の回転により第２巻印中間車１８２が回転する。第２巻印中間車１８２の回転により巻印駆動車１８４が回転する。巻印駆動車１８４の回転により、巻印表示車１９０は反時計周り方向に回転する。従って、香箱車１２０が回転してぜんまい１２０ｂが巻き戻される（解除される）につれて、巻印針１９６が通常の輪列の回転速度より遅い速度で、反時計周り方向に回転する。従って、巻印針１９６が表示記号１１０ａのうちの「６０」を指示する状態から、巻印針１９６が表示記号１１０ａのうちの「４０」を指示する状態を経て、巻印針１９６が表示記号１１０ａのうちの「２０」を指示する状態になる状態を経て、巻印針１９６が表示記号１１０ａのうちの「０」を指示する状態になる。
【００３１】
例えば、巻印針１９６が「２０」を指示しているときは、持続時間が２０時間であることを示し、巻印針１９６が「４０」を指示しているときは、持続時間が４０時間であることを示し、巻印針１９６が「６０」を指示しているときは、持続時間が６０時間であることを示す。表示記号１１０ａは、「１」でぜんまいの「フル巻き」状態を示し、「１／２」でぜんまいの「半巻き」状態を示し、「０」でぜんまいの「巻き解け」状態を示すように構成してもよい。また、表示記号１１０ａは、「１００％」でぜんまいの「フル巻き」状態を示し、「５０％」でぜんまいの「半巻き」状態を示し、「０％」でぜんまいの「巻き解け」状態を示すように構成してもよい。或いは、表示記号１１０ａは、「黒丸の記号」でぜんまいの「フル巻き」状態を示し、「半丸の記号」でぜんまいの「半巻き」状態を示し、「白丸の記号」でぜんまいの「巻き解け」状態を示すように構成してもよい。
【００３２】
（１・１１）コンプリートの説明
図５を参照すると、本発明のぜんまい巻き状態表示装置付き時計のコンプリートは、時計ケース２９０を含む。時計ケース２９０の中にぜんまい巻き状態表示装置付き時計のムーブメント１００が収容されている。時針２４４により、現在時刻のうちの「時」を表示する。分針２４６により、現在時刻のうちの「分」を表示する。秒針２４８により、現在時刻のうちの「秒」を表示する。日車２５２に設けられた日文字２５２ｃにより、現在の「日」を表示する。文字板１１０に設けられた表示記号１１０ａは、ぜんまい巻き状態表示装置付き時計の作動可能な持続時間を示している。図５では、巻印針１９６が表示記号１１０ａのうちの「４０」を少し過ぎた位置を指示している。この状態は、ぜんまいの持続時間が４０時間以上あることを示す。ぜんまいの「フル巻き」状態から巻印針１９６が回転する角度が、時計の持続時間に対応するように構成されている。以上説明したように、本発明のぜんまい巻き状態表示装置付き時計では、時計の持続時間を非常にわかりやすく表示することができる。
【００３３】
（２）第２の実施の形態
次に、本発明のぜんまい巻き状態表示装置付き時計の第２の実施の形態を説明する。以下の説明は、本発明のぜんまい巻き状態表示装置付き時計の第２の実施形態が本発明のぜんまい巻き状態表示装置付き時計の第１の実施形態と異なる点を主に述べる。したがって、以下に記載がない個所は、前述した本発明のぜんまい巻き状態表示装置付き時計の第１の実施形態についての説明をここに準用する。図６〜図８を参照すると、本発明のぜんまい巻き状態表示装置付き時計の第２の実施の形態では、ぜんまい巻き状態表示装置付き時計のムーブメント３２０において、巻印表示車１９０の回転中心は地板基準水平軸線２０６の上で、文字板１１０の６時方向の領域に配置される。巻印駆動車３２４が、第二地板１１２に対して回転可能に支持される。巻印駆動車３２４の回転中心は地板基準垂直軸線２０５の上で、文字板１１０の３時方向の領域に配置されるのが好ましい。巻印駆動車３２４の回転中心は、巻印表示車１９０の回転中心と、筒車２３２の回転中心との間の領域に配置されるのが好ましい。巻印駆動車３２４は、第１セグメント部３２４ｂと、第２セグメント部３２４ｆを含む。第１セグメント歯車３２４ｃが第１セグメント部３２４ｂに設けられる。第１セグメント歯車３２４ｃの外径（ピッチ径）は、第２セグメント歯車３２４ｇの外径（ピッチ径）とほぼ同じ寸法となるように構成されるのが好ましい。第１セグメント歯車３２４ｃの外径（ピッチ径）は、第２セグメント歯車３２４ｇの外径（ピッチ径）と異なるように構成してもよい。第１セグメント歯車３２４ｃの開角は、約２５度であるのが好ましい。第２セグメント歯車３２４ｇが第２セグメント部３２４ｆに設けられる。第２セグメント歯車３２４ｇの開角は、約６０度であるのが好ましい。
【００３４】
巻印駆動車３２４は、２つのセグメント歯車を含む「変形セグメント歯車」を構成する。第１セグメント歯車３２４ｃは第２巻印中間歯車１８２ａと噛み合うように構成される。巻印表示車１９０が、第二地板１１２及び日車押え１１６に対して回転可能に支持される。巻印表示車１９０は、巻印歯車１９０ａを含む。第２セグメント歯車３２４ｇは巻印歯車１９０ａと噛み合うように構成される。この構成により、巻印針１９６の回転中心（すなわち、パワーリザーブ指針の回転中心）は、香箱歯車１２０ｄの回転中心の位置と関連することなしに、時計のムーブメント内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。第二地板１１２、日車押え１１６、巻印表示車１９０は、本発明のぜんまい巻き状態表示装置付き時計の第１の実施の形態および第２の実施の形態に兼用して適用することができるように、複数の位置に同じ巻印表示車１９０を組み込めるように構成される。第二地板１１２は、さらに、他の位置に巻印表示車１９０を設ける構成にも適用することができるように、さらに他の位置に巻印表示車１９０を組み込めるように構成するのが好ましい。本発明により、１つのムーブメントを用いて、複数の位置を回転中心として巻印針１９６によりぜんまい巻き状態を表示することができるので、複数のデザインの時計を容易に実現することができる。
【００３５】
図８を参照すると、時計ケース２９０の中にぜんまい巻き状態表示装置付き時計のムーブメント３２０が収容されている。文字板３２８に設けられた表示記号３２８ａは、ぜんまい巻き状態表示装置付き時計の作動可能な持続時間を示している。図８では、巻印針１９６が表示記号３２８ａのうちの「４０」を少し過ぎた位置を指示している。以上説明したように、本発明のぜんまい巻き状態表示装置付き時計では、時計の持続時間を非常にわかりやすく表示することができる。
【００３６】
（３）第３の実施の形態
次に、本発明のぜんまい巻き状態表示装置付き時計の第３の実施の形態を説明する。以下の説明は、本発明のぜんまい巻き状態表示装置付き時計の第３の実施形態が本発明のぜんまい巻き状態表示装置付き時計の第１の実施形態と異なる点を主に述べる。したがって、以下に記載がない個所は、前述した本発明のぜんまい巻き状態表示装置付き時計の第１の実施形態についての説明をここに準用する。図９および図１０を参照すると、本発明のぜんまい巻き状態表示装置付き時計の第３の実施の形態では、ぜんまい巻き状態表示装置付き時計のムーブメント３３０において、巻印表示車１９０の回転中心は地板基準垂直軸線２０５の上で、文字板１１０の９時方向の領域に配置される。巻印駆動車３３４が、第二地板１１２に対して回転可能に支持される。巻印駆動車３３４の回転中心は地板基準垂直軸線２０５の上で、文字板１１０の３時方向の領域に配置されるのが好ましい。巻印駆動車３２４の回転中心は、巻印表示車１９０の回転中心と、筒車２３２の回転中心との間の領域に配置されるのが好ましい。巻印駆動車３２４は、第１セグメント部３２４ｂと、第２セグメント部３２４ｆとを含む。第１セグメント歯車３２４ｃが第１セグメント部３２４ｂに設けられる。第２セグメント歯車３２４ｇが第２セグメント部３２４ｆに設けられる。第１セグメント歯車３２４ｃの外径（ピッチ径）は、第２セグメント歯車３２４ｇの外径（ピッチ径）とほぼ同じ寸法となるように構成されるのが好ましい。第１セグメント歯車３２４ｃの外径（ピッチ径）は、第２セグメント歯車３２４ｇの外径（ピッチ径）と異なるように構成してもよい。第１セグメント歯車３２４ｃの開角は、約２５度であるのが好ましい。第２セグメント歯車３２４ｇの開角は、約６０度であるのが好ましい。
【００３７】
巻印駆動伝達車３３６が、第二地板１１２に対して回転可能に支持される。巻印駆動伝達車３３６の歯車部は第２セグメント歯車３２４ｇと噛合うように構成される。巻印歯車１９０ａは巻印駆動伝達車３３６の歯車部と噛み合うように構成される。巻印表示車１９０が、第二地板１１２及び日車押え１１６に対して回転可能に支持される。巻印表示車１９０は、巻印歯車１９０ａを含む。巻印歯車１９０ａは第２セグメント歯車３２４ｇと噛み合うように構成される。第二地板１１２、日車押え１１６、巻印駆動車３２４、巻印表示車１９０は、本発明のぜんまい巻き状態表示装置付き時計の第２の実施の形態および第３の実施の形態に兼用して適用することができるように、複数の位置に同じ巻印表示車１９０を組み込めるように構成される。第二地板１１２、日車押え１１６は、さらに、他の位置に巻印表示車１９０を設ける構成にも適用することができるように、さらに他の位置に巻印表示車１９０を組み込めるように構成するのが好ましい。
【００３８】
ぜんまい１２０ｂが完全に巻き戻された状態において、自動巻き輪列の回転により、角穴車１３０が時計周り方向に回転すると、遊星機構の作動を介して、第１巻印中間車１８０が回転する。第１巻印中間車１８０の回転により第２巻印中間車１８２が回転する。第２巻印中間車１８２の回転により巻印駆動車３３４が回転する。巻印駆動車１８４の回転により、巻印駆動伝達車３３６は回転する。巻印駆動伝達車３３６の回転により、巻印表示車１９０は反時計周り方向に回転する。ぜんまいが巻き上げられた状態において、香箱歯車１２０ｄの回転により、遊星機構の作動を介して、第１巻印中間車１８０が回転する。第１巻印中間車１８０の回転により第２巻印中間車１８２が回転する。第２巻印中間車１８２の回転により巻印駆動車１８４が回転する。巻印駆動車１８４の回転により、巻印駆動伝達車３３６は回転する。巻印駆動伝達車３３６の回転により、巻印表示車１９０は時計周り方向に回転する。従って、香箱車１２０が回転してぜんまい１２０ｂが巻き戻される（解除される）につれて、巻印針１９６が通常の輪列の回転速度より遅い速度で、時計周り方向に回転する。
【００３９】
巻印駆動車３３４は、外径（ピッチ径）がほぼ同じ寸法である２つのセグメント歯車を備えた「変形セグメント歯車」を構成する。この構成により、巻印針１９６の回転中心（すなわち、パワーリザーブ指針の回転中心）は、香箱歯車１２０ｄの回転中心の位置と関連することなしに、時計のムーブメント内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。したがって、本発明により、１つのムーブメントを用いて、複数の位置を回転中心としてぜんまい巻き状態を表示することができるので、複数のデザインの時計を容易に実現することができる。図１０を参照すると、時計ケース２９０の中にぜんまい巻き状態表示装置付き時計のムーブメント３３０が収容されている。文字板３３８に設けられた表示記号３３８ａは、ぜんまい巻き状態表示装置付き時計の作動可能な持続時間を示している。図１０では、巻印針１９６が表示記号３３８ａのうちの「４０」を少し過ぎた位置を指示している。以上説明したように、本発明のぜんまい巻き状態表示装置付き時計では、時計の持続時間を非常にわかりやすく表示することができる。
【００４０】
（４）第４の実施の形態
次に、本発明のぜんまい巻き状態表示装置付き時計の第４の実施の形態を説明する。以下の説明は、本発明のぜんまい巻き状態表示装置付き時計の第４の実施形態が本発明のぜんまい巻き状態表示装置付き時計の第１の実施形態と異なる点を主に述べる。したがって、以下に記載がない個所は、前述した本発明のぜんまい巻き状態表示装置付き時計の第１の実施形態についての説明をここに準用する。図１１および図１２を参照すると、本発明のぜんまい巻き状態表示装置付き時計の第４の実施の形態では、ぜんまい巻き状態表示装置付き時計のムーブメント３４０において、巻印表示車１９０の回転中心は地板基準垂直軸線２０５の上で、文字板１１０の３時方向の領域に配置される。巻印駆動車３４４が、第二地板１１２に対して回転可能に支持される。巻印駆動車３４４の回転中心は筒車２３２の回転中心２００と同じ位置に配置されるのが好ましい。巻印駆動車３４４は、第１セグメント部３４４ａと、第２セグメント部３４４ｃと、第３セグメント部３４４ｆを含む。第１セグメント部３４４ａは、文字板１１０のおおよそ１２時方向と、おおよそ４時方向との間の領域に配置される。第２セグメント部３４４ｃは、文字板１１０のおおよそ６時方向と、おおよそ７時方向との間の領域に配置される。第３セグメント部３４４ｆは、文字板１１０のおおよそ９時方向と、おおよそ１０時方向との間の領域に配置される。
【００４１】
第１セグメント歯車３４４ｂが第１セグメント部３４４ａに設けられる。第２セグメント歯車３４４ｄが第２セグメント部３４４ｃに設けられる。第３セグメント歯車３４４ｇが第３セグメント部３４４ｆに設けられる。第１セグメント歯車３４４ｂの外径（ピッチ径）と、第２セグメント歯車３４４ｄの外径（ピッチ径）と、第３セグメント歯車３４４ｇの外径（ピッチ径）は、同じ寸法となるように構成されるのが好ましい。第１セグメント歯車３４４ａの開角は、約１３０度であるのが好ましい。第２セグメント歯車３４４ｄの開角は、約４０度であるのが好ましい。第３セグメント歯車３４４ｇの開角は、約４０度であるのが好ましい。第１セグメント歯車３４４ｂの一部分は第２巻印中間歯車１８２ａと噛み合うように構成される。第１セグメント歯車３４４ｂの他の一部分は巻印歯車１９０ａと噛み合うように構成される。
【００４２】
巻印駆動車３４４は、外径（ピッチ径）が同じ寸法である３つのセグメント歯車を備えた「変形セグメント歯車」を構成する。巻印駆動車３４４が「変形セグメント歯車」で構成されるのは、第１修正伝え車２５７、第１修正伝え車２５８、日回し車２５０、日ジャンパ２５３を避ける必要があるためである。第１セグメント歯車３４４ｂは第２巻印中間歯車１８２ａと噛み合うように構成される。第１セグメント歯車３４４ｂは巻印歯車１９０ａと噛み合うように構成される。この構成により、巻印針１９６の回転中心（すなわち、パワーリザーブ指針の回転中心）は、香箱歯車１２０ｄの回転中心の位置と関連することなしに、時計のムーブメント内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。例えば、第二地板１１２は、本発明のぜんまい巻き状態表示装置付き時計の第４の実施の形態、第５の実施の形態、第６の実施の形態のいずれにも適用することができるように、少なくとも３箇所の位置に巻印駆動車３４４を組み込めるように構成される。第二地板１１２、日車押え１１６、巻印駆動車３４４、巻印表示車１９０は、本発明のぜんまい巻き状態表示装置付き時計の第４の実施の形態、第５の実施の形態、第６の実施の形態のいずれにも兼用して適用することができるように、複数の位置に同じ巻印表示車１９０を組み込めるように構成される。第二地板１１２、日車押え１１６は、さらに、他の位置に巻印表示車１９０を設ける構成にも適用することができるように、さらに他の位置に巻印表示車１９０を組み込めるように構成するのが好ましい。本発明により、１つのムーブメントを用いて、複数の位置を回転中心としてぜんまい巻き状態を表示することができるので、複数のデザインの時計を容易に実現することができる。
【００４３】
（５）第５の実施の形態
次に、本発明のぜんまい巻き状態表示装置付き時計の第５の実施の形態を説明する。以下の説明は、本発明のぜんまい巻き状態表示装置付き時計の第５の実施形態が本発明のぜんまい巻き状態表示装置付き時計の第４の実施形態と異なる点を主に述べる。したがって、以下に記載がない個所は、前述した本発明のぜんまい巻き状態表示装置付き時計の第１の実施形態についての説明と、本発明のぜんまい巻き状態表示装置付き時計の第４の実施形態についての説明とをここに準用する。図１３および図１４を参照すると、本発明のぜんまい巻き状態表示装置付き時計の第５の実施の形態では、ぜんまい巻き状態表示装置付き時計のムーブメント３５０において、巻印表示車１９０の回転中心は地板基準水平軸線２０６の上で、文字板１１０の６時方向の領域に配置される。巻印駆動車３４４が、第二地板１１２に対して回転可能に支持される。巻印駆動車３４４の回転中心は筒車２３２の回転中心２００と同じ位置に配置されるのが好ましい。第１セグメント歯車３４４ｂは第２巻印中間歯車１８２ａと噛み合うように構成される。第２セグメント歯車３４４ｄは巻印歯車１９０ａと噛み合うように構成される。この構成により、巻印針１９６の回転中心（すなわち、パワーリザーブ指針の回転中心）は、香箱歯車１２０ｄの回転中心の位置と関連することなしに、時計のムーブメント内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。
【００４４】
（６）第６の実施の形態
次に、本発明のぜんまい巻き状態表示装置付き時計の第６の実施の形態を説明する。以下の説明は、本発明のぜんまい巻き状態表示装置付き時計の第６の実施形態が本発明のぜんまい巻き状態表示装置付き時計の第４の実施形態と異なる点を主に述べる。したがって、以下に記載がない個所は、前述した本発明のぜんまい巻き状態表示装置付き時計の第１の実施形態についての説明と、本発明のぜんまい巻き状態表示装置付き時計の第４の実施形態についての説明とをここに準用する。図１５および図１６を参照すると、本発明のぜんまい巻き状態表示装置付き時計の第６の実施の形態では、ぜんまい巻き状態表示装置付き時計のムーブメント３６０において、巻印表示車１９０の回転中心は地板基準垂直軸線２０５の上で、文字板１１０の９時方向の領域に配置される。巻印駆動車３４４が、第二地板１１２に対して回転可能に支持される。巻印駆動車３４４の回転中心は筒車２３２の回転中心２００と同じ位置に配置されるのが好ましい。第１セグメント歯車３４４ｂは第２巻印中間歯車１８２ａと噛み合うように構成される。第３セグメント歯車３４４ｇは巻印歯車１９０ａと噛み合うように構成される。この構成により、巻印針１９６の回転中心（すなわち、パワーリザーブ指針の回転中心）は、香箱歯車１２０ｄの回転中心の位置と関連することなしに、時計のムーブメント内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。
【００４５】
（７）第７の実施の形態
次に、本発明のぜんまい巻き状態表示装置付き時計の第７の実施の形態を説明する。以下の説明は、本発明のぜんまい巻き状態表示装置付き時計の第７の実施形態が本発明のぜんまい巻き状態表示装置付き時計の第１の実施形態と異なる点を主に述べる。したがって、以下に記載がない個所は、前述した本発明のぜんまい巻き状態表示装置付き時計の第１の実施形態についての説明をここに準用する。図１７および図１８を参照すると、本発明のぜんまい巻き状態表示装置付き時計の第７の実施の形態では、文字板４１０が文字板受リング４０９を介して地板１０２に取付けられる。巻印中間車４２０が地板１０２及び日車押え４１６に対して回転可能に支持される。巻印中間車４２０は巻印中間歯車４２０ａと、巻印中間かな４２０ｂとを有する。巻印中間歯車４２０ａは第２太陽車１５０と噛み合うように構成される。巻印中間車４２０の回転中心は第３領域２０３に配置されるのが好ましい。巻印表示車４２２が、第二地板４１２及び日車押え４１６に対して回転可能に支持される。巻印表示車４２２は、巻印歯車４２２ａを含む。巻印歯車４２２ａは巻印中間かな４２０ｂと噛み合うように構成される。巻印表示車４２２の回転中心は地板基準水平軸線２０６の上で、文字板４１０の１２時方向の領域に配置される。ぜんまい巻き状態表示部材を構成する巻印針１９６が、巻印表示車４２２の巻印表示車真に取付けられる。この構成では、図１９を参照すると、ぜんまい巻き状態を表す表示記号４１０ａが文字板４１０に設けられる。例えば、表示記号１１０ａは、「０」、「２０」、「４０」、「６０」の数字を含む。ユーザは、巻印針１９６の先端の位置と、表示記号４１０ａとにより、ぜんまいの巻き状態を知ることができる。
【００４６】
ぜんまい１２０ｂが完全に巻き戻された状態において、自動巻き輪列の回転により、角穴車１３０が時計周り方向に回転すると、遊星機構の作動を介して、巻印中間車４２０が回転する。巻印中間車４２０の回転により、巻印表示車１９０は時計周り方向に回転する。ぜんまいが巻き上げられた状態において、香箱歯車１２０ｄの回転により、遊星機構の作動を介して、巻印中間車４２０が回転する。巻印中間車４２０の回転により、巻印表示車１９０は反時計周り方向に回転する。従って、香箱車１２０が回転してぜんまい１２０ｂが巻き戻される（解除される）につれて、巻印針１９６が通常の輪列の回転速度より遅い速度で、反時計周り方向に回転する。以上説明したように、本発明のぜんまい巻き状態表示装置付き時計では、時計の持続時間を非常にわかりやすく表示することができる。
【実施例】
【００４７】
本発明のぜんまい巻き状態表示装置付き時計の第１の実施の形態は、一例として、下記の条件で構成することができる。
香箱歯車１２０ｄの歯数：            ８４
角穴車１３０の歯数：                ６２
第１太陽車１５０の歯数：            ２０
第１遊星車１５２の歯数：            ２４
第２遊星車１５４の歯車の歯数：      ２０
第２遊星車１５４のかなの歯数：      １２
第１巻印中間車１８０の歯車の歯数：  ４８
第１巻印中間車１８０のかなの歯数：    ８
第２太陽車１５６の歯数：            ２４
第１セグメント歯車１８４ｃの歯数（全周にわたって歯があるときの計算値）：２００
第２セグメント歯車１８４ｇの歯数（全周にわたって歯があるときの計算値）：１０４
巻印表示車１９０の歯数：            １３
この構成では、香箱歯車１２０ｄから巻印表示車１９０までの減速比は、１／１８である。そして、ぜんまいの巻数が６巻のとき、巻印表示車１９０に取付けられた指針１９６は１２０度動くことができる。また、ぜんまいの巻数が７巻のとき、巻印表示車１９０に取付けられた指針１９６は１４０度動くことができる。
【００４８】
なお、本発明のぜんまい巻き状態表示装置付き時計では、上記の歯車の歯数を変えることにより、ぜんまい巻き状態の表示の内容を変えることができる。そして、上記の減速比を変えることにより、香箱歯車１２０ｄの回転に基づく巻印針１９６の回転する角度を変えることができる。例えば、香箱歯車１２０ｄから巻印表示車１９０までの減速比を  ／  にする構成では、本発明の上述した実施の形態で用いたものと同じぜんまいを用いた場合に、ぜんまいの巻き解け状態から全巻き状態までに対応する巻印表示車１９０の回転角度を約９０度にすることができる。
【産業上の利用可能性】
【００４９】
本発明は、機械式時計の動力源を構成するぜんまいの巻き状態を表示する機能を備えたぜんまい巻き状態表示装置付き時計において、時計のムーブメント内で任意適当な位置にぜんまい巻き状態表示部材（パワーリザーブ指針）を配置する構成に適用することができる。すなわち、本発明により、ぜんまい巻き状態表示装置付き時計において、香箱歯車の回転中心の位置にかかわらず、巻印針の回転中心を時計のムーブメント内で任意適当な位置に配置することができ、複数の巻印表示車支持部がムーブメントに設けられているので、巻印針の回転中心の位置を変えるために複数のムーブメントを用意する必要がない。したがって、本発明のぜんまい巻き状態表示装置付き時計は、デザイン上の制約が非常に小さい。
【図面の簡単な説明】
【００５０】
【図１】本発明のぜんまい巻き状態表示装置付き時計の第１の実施の形態において、ぜんまいがほどけた状態におけるムーブメントを文字板側からみた状態を示す平面図（裏平面図）である。
【図２】本発明のぜんまい巻き状態表示装置付き時計の第１の実施の形態において、ムーブメントを裏蓋側からみた状態を示す平面図（表平面図）である。
【図３】本発明のぜんまい巻き状態表示装置付き時計の第１の実施の形態において、一番受を外したムーブメントを裏蓋側からみた状態を示す平面図（表平面図）である。
【図４】本発明のぜんまい巻き状態表示装置付き時計の第１の実施の形態において、ムーブメントの一部分を示す部分断面図である。
【図５】本発明のぜんまい巻き状態表示装置付き時計の第１の実施の形態において、ぜんまいが途中まで巻き戻された状態におけるコンプリートの外観を示す平面図である。
【図６】本発明のぜんまい巻き状態表示装置付き時計の第２の実施の形態において、ぜんまいがほどけた状態におけるムーブメントを文字板側からみた状態を示す平面図（裏平面図）である。
【図７】本発明のぜんまい巻き状態表示装置付き時計の第２の実施の形態において、ムーブメントの一部分を示す部分断面図である。
【図８】本発明のぜんまい巻き状態表示装置付き時計の第２の実施の形態において、ぜんまいが途中まで巻き戻された状態におけるコンプリートの外観を示す平面図である。
【図９】本発明のぜんまい巻き状態表示装置付き時計の第３の実施の形態において、ぜんまいがほどけた状態におけるムーブメントを文字板側からみた状態を示す平面図（裏平面図）である。
【図１０】本発明のぜんまい巻き状態表示装置付き時計の第３の実施の形態において、ぜんまいが途中まで巻き戻された状態におけるコンプリートの外観を示す平面図である。
【図１１】本発明のぜんまい巻き状態表示装置付き時計の第４の実施の形態において、ぜんまいがほどけた状態におけるムーブメントを文字板側からみた状態を示す平面図（裏平面図）である。
【図１２】本発明のぜんまい巻き状態表示装置付き時計の第４の実施の形態において、ムーブメントの一部分を示す部分断面図である。
【図１３】本発明のぜんまい巻き状態表示装置付き時計の第５の実施の形態において、ぜんまいがほどけた状態におけるムーブメントを文字板側からみた状態を示す平面図（裏平面図）である。
【図１４】本発明のぜんまい巻き状態表示装置付き時計の第５の実施の形態において、ムーブメントの一部分を示す部分断面図である。
【図１５】本発明のぜんまい巻き状態表示装置付き時計の第６の実施の形態において、ぜんまいがほどけた状態におけるムーブメントを文字板側からみた状態を示す平面図（裏平面図）である。
【図１６】本発明のぜんまい巻き状態表示装置付き時計の第６の実施の形態において、ムーブメントの一部分を示す部分断面図である。
【図１７】本発明のぜんまい巻き状態表示装置付き時計の第７の実施の形態において、ぜんまいがほどけた状態におけるムーブメントを文字板側からみた状態を示す平面図（裏平面図）である。
【図１８】本発明のぜんまい巻き状態表示装置付き時計の第７の実施の形態において、ムーブメントの一部分を示す部分断面図である。
【図１９】本発明のぜんまい巻き状態表示装置付き時計の第７の実施の形態において、ぜんまいが途中まで巻き戻された状態におけるコンプリートの外観を示す平面図である。
【符号の説明】
【００５１】
１００    時計のムーブメント
１０２    地板
１１２    第二地板
１１８    巻真
１２０    香箱車
１２２    二番車
１２４    三番車
１２６    四番車
１３０    角穴車
１５０    第１太陽車
１５２    第１遊星車
１５４    第２遊星車
１５６    第２太陽車
１８０    第１巻印中間車
１８２    第２巻印中間車
１８４    巻印駆動車
１８４ｃ  第１セグメント歯車
１８４ｇ  第２セグメント歯車
１９０    巻印表示車
１９６    巻印針
２１０    回転錘
２３２    筒車
【図１】
2005214655.tif 000003
【図２】
2005214655.tif 000004
【図３】
2005214655.tif 000005
【図４】
2005214655.tif 000006
【図５】
2005214655.tif 000007
【図６】
2005214655.tif 000008
【図７】
2005214655.tif 000009
【図８】
2005214655.tif 000010
【図９】
2005214655.tif 000011
【図１０】
2005214655.tif 000012
【図１１】
2005214655.tif 000013
【図１２】
2005214655.tif 000014
【図１３】
2005214655.tif 000015
【図１４】
2005214655.tif 000016
【図１５】
2005214655.tif 000017
【図１６】
2005214655.tif 000018
【図１７】
2005214655.tif 000019
【図１８】
2005214655.tif 000020
【図１９】
2005214655.tif 000021